(57)【要約】【課題】角筒状（箱状）の構造で上壁および前壁と後壁の上部を解放した構造を持ち、自立可能で、台などに置いたりすることなく取り出し口が開閉可能で、把手を持ち替えることなく、もしくは、把手を肩にかけて被収納物が取り出し可能な鞄を提供すること。【解決手段】角筒状（箱状）の鞄において、上壁および壁面の前部と後部が解放されており、前壁５と後壁５および、側壁４とその側壁から延長された側壁上部３に把手１が把手基部２と通して連結されており、上部開口部から収納下部において柔軟な素材で袋の役割を果たす袋部を構成し、自立可能で、袋部７の上部は開閉可能なファスナー６を配して取り出しの開口部を大きく構成して被収納物の取り出しを容易にし、側壁上部３と連結されている把手１の長さを調整できるようにしてあり、手持ちでも、肩掛けしてでも利用できるようにすること。【選択図】図１
2020130989.tif 000002
【特許請求の範囲】
【請求項１】
角筒状（箱状）の鞄において、上壁および前壁上部と後壁上部が解放されており、前壁と後壁および、側壁とその側壁から延長された側壁上部に把手が把手基部と通して連結されており、上部開口部から収納下部において柔軟な素材で袋の役割を果たす袋部を構成し、自立可能で、袋部の上部は開閉可能なファスナーを配して取り出しの開口部を大きく構成して被収納物の取り出しを容易にし、側壁上部と連結されている把手の長さを調整できるようにしてあり、手持ちでも、肩掛けしてでも利用できるようにすることを特徴とする鞄。
【請求項２】
把手が側壁上部に対して移動可能である「請求項１」に記載の鞄。
【請求項３】
袋部が角筒状（箱状）の側壁、壁面の外側を覆う構成である「請求項１」「請求項２」に記載の鞄。
【請求項４】
前壁、後壁が側壁上部に対して移動可能である「請求項１」「請求項２」「請求項３」に記載の鞄。
【請求項５】
把手が側壁上部に対して取り外し可能である「請求項１」「請求項２」「請求項３」「請求項４」に記載の鞄。
【発明の詳細な説明】
【技術分野】
【０００１】      本発明は、把手を持ち替えることなく開閉できる鞄に関する。
【背景技術】
【０００２】      鞄には、被収納物を破損や変形から保護する丈夫さを有すること、被収納物の出し入れが容易であることといった機能が望まれる。これに該当するものとして、アタッシュケースと呼ばれるものがあり、箱状の構造で、自立可能、上壁から前後の壁の下部にかけて開口し、開口した際の取り出し口も大きく、出し入れが容易である。同じく該当するものとして、フライトケースと呼ばれるものがあり、箱状の構造で、自立可能、上壁から前後の壁の上部にわたって開口し、手で拡げたり、抑えたりすることなく、開口形状が維持される。【０００３】      鞄に望まれる別の機能として、鞄を携帯している際に素早く安定した姿勢で、容易に被収納物を出し入れできることが挙げられる。これを満たすためには、把手を持ち替えることなく、もしくは、把手を肩にかけて被収納物を出し入れ可能なことが望ましい。しかし、アタッシュケースやフライトケースはこの条件を満たさない。
【発明の概要】
【発明が解決しようとする課題】
【０００４】      角筒状（箱状）の構造で上壁および前壁と後壁の上部を解放した構造を持ち、自立可能で、台などに置いたりすることなく取り出し口が開閉可能で、把手を持ち替えることなく、もしくは、把手を肩にかけて被収納物が取り出し可能な鞄を提供することである。
【課題を解決するための手段】
【０００５】      本発明は、角筒状（箱状）の鞄において、上壁および前壁上部と後壁上部が解放されており、前壁と後壁および、側壁とその側壁から延長された側壁上部に把手が把手基部と通して連結されており、上部開口部から収納下部において柔軟な素材で袋の役割を果たす袋部を構成し、自立可能で、袋部の上部は開閉可能なファスナーを配して取り出しの開口部を大きく構成して被収納物の取り出しを容易にし、側壁上部と連結されている把手の長さを調整できるようにしてあり、手持ちでも、肩掛けしてでも利用できるようにすることを特徴とする。
【発明の効果】
【０００６】      本発明により、角筒状（箱状）の構造で上壁および前壁と後壁の上部を解放した構造を持ち、自立可能で、台などに置いたりすることなく取り出し口が開閉可能で、把手を持ち替えることなく、もしくは、把手を肩にかけて被収納物が取り出し可能な鞄を提供可能になる。【０００７】      また、取り出し口の素材が例えばナイロンなどの柔軟な素材であるため、被収納物の出し入れが容易になり、かつ、鞄の取り出し口の壁にあたるなどして破損するようなケースはなく、被収納物が破損しにくい。【０００８】      さらに、把手を把持していない時には、より大きな取り出し口の開口を得ることができるため、被収納物の出し入れがさらに容易になる。
【図面の簡単な説明】
【０００９】
【図１】本発明の最も主要な特徴を示す形態（実施例１）の説明図である。開口した状態を示す。
【図２】本発明の最も主要な特徴を示す形態（実施例１）の説明図である。閉口した状態を示す。
【図３】本発明の最も主要な特徴を示す形態（実施例１）の説明図である。鞄の袋部分と角筒状（箱状）および把手の構成を示す。
【図４】把手の伸縮調整部分（実施例２）の側面図である。
【図５】把手が伸縮自在であることを示した（実施例２）側面図である。把手を伸ばした状態を示す。
【図６】側壁に垂直な回転軸を中心として把手が移動可能である形態（実施例３）の説明図である。把手を後壁側へ移動させた状態を示す。
【図７】鞄の袋部を角筒状（箱状）の前壁・後壁・側壁の外側を覆う形態（実施例４）の説明図である。
【図８】角筒状の前壁、後壁が移動可能である形態（実施例５）を示した説明図である。側壁下部から上部との結合を軸にして前壁、後壁を開口移動した状態を示す。
【図９】梁をもとにした把手を取り付けた形態（実施例６）を示した説明図である。
【発明を実施するための形態】
【００１０】      以下、本発明を実施するための形態について説明する。
【実施例１】
【００１１】      本発明の最も主要な特徴を示す形態の実施例を図１から図３に示す。図１は開口した時の状態、図２は閉口した時の状態、図３は鞄の主要部の構成を示す。【００１２】      把手１は鞄の角筒状の側壁から伸びた側壁上部３に連結されている。
連結部は把手１が伸縮自在なように固定位置を変更可能なように連結されている。この連結部は角筒状の側壁に垂直な回転軸を有しており、把手１が回転移動させることが可能である。袋部７は角筒状部とは異なり、柔軟な素材でできており、取り出し口６も柔軟で、被収納物を取り出しやすく、また、取り出しの際に破損しにくい効果がある。袋部７は角筒状部から脱着可能であり、例えば、側壁４と袋部の下部が接する位置や、前壁５・後壁５の上部と袋部７の下部が接する位置に磁石を設けることができる。袋部７の固定をより確実にするため、ボタンとして機能する要素を磁石の代わりに、または磁石に加えて設けてもよい。仮に袋部７を破損した場合は、別の袋部と変更可能である。商品を考えた場合、袋部７のバリエーションを持たせることで破損交換だけではなく、見た目を変更することも考えることができる。【００１３】      また、これにより、取り出し口のファスナー６を安定して開閉することが可能になっている。これにより、把手１を持ち替えることなく開閉することができる。
【実施例２】
【００１４】      実施例１に示した特徴に加え、把手１を伸縮調整できる形態の実施例を図４、図５に示す。図４は、伸縮調整を実施する部品を、図５は伸ばした状態を示す。把手１と側壁上部３の接合部の把手基部２は把手１の長さを調整するために、把手基部２において把手１に用意している穴を抜き差しすることで調整できるようにしている。図５に示すように長くすると、肩掛けで使用することができる。図１に示す状態で手持ちで使用することができる。
【実施例３】
【００１５】      実施例１に示した特徴に加え、側壁上部３に垂直な回転軸に把手基部２が接合しており、これを中心として把手１が回転（移動）可能である形態の実施例を図６に示す。把手１は、その両端および側壁上部３に設けられた接合部（回転軸）を中心として、前壁側または後壁側へ移動可能である。図６は後壁側へ移動させた状態を示す。
【実施例４】
【００１６】      実施例１に示した特徴に加え、袋部７を角筒状（箱状）の側壁４と前壁５と後壁５の外側を覆う形態の実施例を図７に示す。図７は、側壁４と前壁５、後壁５で構成される角筒状（箱状）の外側を覆った状態を示す。また、この袋部７は図１で示すように角筒状（箱状）の内部に接着した状態と、図７で示すように外部に接着した状態を使用者の任意で脱着でき、例えば、側壁４と袋部側壁９の上部や下部が接する位置や、壁面上部５と袋部前壁８・袋部後壁８の上部や下部が接する位置に磁石を設けることができる。袋部７の固定をより確実にするため、ボタンとして機能する要素を磁石の代わりに、または磁石に加えて設けてもよい。
【実施例５】
【００１７】      実施例１に示した特徴に加え、角筒状の前壁５と後壁５さらに外側に移動できる形態の実施例を図８に示す。側壁４および角筒状の底面のヒンジ（図示せず）との結合を軸にして前壁５と後壁５を開閉移動できる構成を示す。取り出し口６からより大きく被収納物を取り出しやすくする効果がある。アーム１０を介して前壁５と後壁５を開閉移動する軌跡が定まり、より開閉動作が安定するように設計されており、また、前壁５と後壁５を閉めた際に、より固定して閉口できるように磁石を加えて設けてもよい。
【実施例６】
【００１８】      実施例１に示した特徴に加え、梁をもとにした把手１を取り付けた形態の実施例を図９に示す。フライトケースのようにしっかり把手１を持つことができるだけでなく、取り出し口６は安定して開閉することが可能になっているため、フライトケースのように被収納物の取り出しのために台に置いたりすることなく、被収納物を取り出すことができる。【００１９】      また、側壁上部３に垂直な回転軸に把手基部２が接合しており、これを中心として把手１が回転（移動）可能であるため、取り出し口６から被収納物をより取り出しやすく使用することができる。
【符号の説明】
【００２０】    １  把手
２  把手基部
３  側壁上部
４  側壁
５  前壁・後壁
６  ファスナー（取り出し口）
７  袋部
８  袋部前壁・後壁
９  袋部側壁
１０  アーム
【図１】
2020130989.tif 000003
【図２】
2020130989.tif 000004
【図３】
2020130989.tif 000005
【図４】
2020130989.tif 000006
【図５】
2020130989.tif 000007
【図６】
2020130989.tif 000008
【図７】
2020130989.tif 000009
【図８】
2020130989.tif 000010
【図９】
2020130989.tif 000011